(57)【要約】【課題】需要者の好みに細かく対応すると共に番組の進行に合わせて秒単位で広告を提供する。【解決手段】本発明の広告システムは、需要者が選択した番組内において表示される物やサービスに関する番組内情報のリストを表示する番組内情報リスト表示手段１０と、番組内情報リスト表示手段１０が表示した番組内情報のリストから前記需要者が選択した番組内情報についてのタグ付きの詳細情報を前記番組の進行に合わせて表示するＸＭＬ情報表示手段１１とを備えていることを特徴とする。【選択図】図１
2008211772.tif 000002
【特許請求の範囲】
【請求項１】
番組を表示している間に広告を表示するための広告システムであって、
需要者が選択した番組内において表示される物やサービスに関する番組内情報のリストを表示する番組内情報リスト表示手段と、
該番組内情報リスト表示手段が表示した番組内情報のリストから前記需要者が選択した番組内情報についてのタグ付きの詳細情報を前記番組の進行に合わせて表示するＸＭＬ情報表示手段と、
を備えていることを特徴とする広告システム。
【請求項２】
前記需要者が入力した情報に応じて該需要者に固有の番組リストを作成する番組リスト作成手段と、
該番組リスト作成手段が作成した需要者固有の番組リストから該需要者が選択した番組を表示する番組表示手段と、
前記需要者が選択した番組に関連性を有する広告のリストを作成する広告リスト作成手段と、
該広告リスト作成手段が作成した広告リストから前記需要者が選択した広告を前記番組表示手段が番組を表示している間に表示する広告表示手段と、
をさらに備えている請求項１に記載の広告システム。
【請求項３】
前記広告を格納する広告データベースを備えており、前記広告表示手段は、該広告データベースから前記需要者が選択した広告を抽出し、該広告を前記番組表示手段が番組を表示している間に表示する請求項１又は２に記載の広告システム。
【請求項４】
前記ＸＭＬ情報表示手段が表示する詳細情報に関連性を有する情報の追加を許可するＸＭＬ編集手段をさらに備えている請求項２に記載の広告システム。
【請求項５】
前記ＸＭＬ編集手段は、前記物やサービスの需要者側からの情報の追加を許可する需要者側ＸＭＬ情報編集手段と、前記物やサービスの提供者側からの情報の追加を許可する提供者側ＸＭＬ情報編集手段と、システム側に蓄積されていく編集されたＸＭＬ情報に基づきスキーマを編集するシステム側ＸＭＬ編集手段とを備えている請求項４に記載の広告システム。
【請求項６】
番組を表示している間に広告を表示するための広告プログラムであって、
需要者が選択した番組内において表示される物やサービスに関する番組内情報のリストを番組内情報リスト表示手段が表示するステップと、
該番組内情報リスト表示手段が表示した番組内情報のリストから前記需要者が選択した番組内情報についてのタグ付きの詳細情報をＸＭＬ情報表示手段が前記番組の進行に合わせて表示するステップと、
をコンピュータに実行させるための広告プログラム。
【発明の詳細な説明】
【技術分野】
【０００１】
本発明は、番組を表示している間に広告を表示するための広告システム及びそのプログラムに関するものである。
【背景技術】
【０００２】
従来、テレビ放送では、番組中や番組の合間にコマーシャルを放送したり、番組の最後に協賛企業の名称をテロップで流したりして広告を行っている。しかしながら、この種の広告は、放送局側から視聴者（需要者）に対して予め設定された情報を一方向で提供しているに過ぎないため、効率的ではない。
【０００３】
そこで、近年、このような問題点を解決する広告システムとして、例えば、番組とは独立して情報交換が可能な双方向テレビや（例えば、特許文献１参照）、番組に関連性を有する広告を番組の画面の横に表示するインターネットテレビ（例えば、非特許文献１参照）などが提案或いは実現化されている。
【特許文献１】特開平９−４６６５６号公報
【非特許文献１】ＧＹＡＯ〈URL：http://www.gyao.jp/〉
【発明の開示】
【発明が解決しようとする課題】
【０００４】
しかしながら、上記した従来の広告システムにおいても、依然として需要者の好みに細かく対応した広告を提供したり、或いは、番組の進行に合わせて秒単位で広告を提供したりすることは難しいといった問題があった。
【０００５】
また、従来の広告システムでは、需要者が視聴するかどうかに拘らず、高額の広告枠を獲得する必要があるため、非常に非効率的で、不経済であった。
【０００６】
本発明は、上記した課題を解決すべくなされたものであり、需要者の好みに細かく対応すると共に番組の進行に合わせて秒単位で広告を提供することのできる効率的で経済性の高い広告システムを提供することを目的とするものである。
【課題を解決するための手段】
【０００７】
上記した目的を達成するため、本発明は、番組を表示している間に広告を表示するための広告システムであって、需要者が選択した番組内において表示される物やサービスに関する番組内情報のリストを表示する番組内情報リスト表示手段と、該番組内情報リスト表示手段が表示した番組内情報のリストから前記需要者が選択した番組内情報についてのタグ付きの詳細情報を前記番組の進行に合わせて表示するＸＭＬ情報表示手段とを備えていることを特徴とする。
【０００８】
そして、前記需要者が入力した情報に応じて該需要者に固有の番組リストを作成する番組リスト作成手段と、該番組リスト作成手段が作成した需要者固有の番組リストから該需要者が選択した番組を表示する番組表示手段と、前記需要者が選択した番組に関連性を有する広告のリストを作成する広告リスト作成手段と、該広告リスト作成手段が作成した広告リストから前記需要者が選択した広告を前記番組表示手段が番組を表示している間に表示する広告表示手段とをさらに備えていてもよい。
【０００９】
また、前記広告を格納する広告データベースを備えており、前記広告表示手段は、該広告データベースから前記需要者が選択した広告を抽出し、該広告を前記番組表示手段が番組を表示している間に表示してもよい。
【００１０】
さらに、前記ＸＭＬ情報表示手段が表示する詳細情報に関連性を有する情報の追加を許可するＸＭＬ編集手段をさらに備えていてもよい。
【００１１】
さらにまた、前記ＸＭＬ編集手段は、前記物やサービスの需要者側からの情報の追加を許可する需要者側ＸＭＬ情報編集手段と、前記物やサービスの提供者側からの情報の追加を許可する提供者側ＸＭＬ情報編集手段と、システム側に蓄積されていく編集されたＸＭＬ情報に基づきスキーマを編集するシステム側ＸＭＬ編集手段とを備えていてもよい。
【００１２】
また、本発明は、番組を表示している間に広告を表示するための広告プログラムであって、需要者が選択した番組内において表示される物やサービスに関する番組内情報のリストを番組内情報リスト表示手段が表示するステップと、該番組内情報リスト表示手段が表示した番組内情報のリストから前記需要者が選択した番組内情報についてのタグ付きの詳細情報をＸＭＬ情報表示手段が前記番組の進行に合わせて表示するステップとをコンピュータに実行させることを特徴とする。
【発明の効果】
【００１３】
本発明によれば、需要者の好みに細かく対応した広告を提供することできると共に、番組の進行に合わせて秒単位で広告を提供することができ、効率的で経済性の高い広告システムを提供することができる。
【発明を実施するための最良の形態】
【００１４】
以下、図面を参照しつつ、本発明の実施の形態について説明する。ここで、図１は本発明の実施の形態に係る広告システムの全体構成を示す概略図である。
【００１５】
本発明の実施の形態に係る広告システムは、番組を表示している間に広告を表示するためのものであり、需要者（視聴者）ａ，ｂ，ｃそれぞれのユーザ端末１，２，３（図１では３台のみ示している。）と、本システムを総合的に管理する処理サーバ４とが、それぞれインターネット等の情報通信ネットワーク５を介して相互に接続されて構成されている。
【００１６】
処理サーバ４は、需要者ａ，ｂ，ｃがユーザ端末１，２，３から入力した情報に応じて該需要者ａ，ｂ，ｃに固有の番組リストを作成する番組リスト作成部６と、番組リスト作成部６が作成した需要者固有の番組リストから需要者ａ，ｂ，ｃが選択した番組を表示する番組表示部７と、需要者ａ，ｂ，ｃが選択した番組に関連性を有する広告のリストを作成する広告リスト作成部８と、広告リスト作成部８が作成した広告リストから需要者ａ，ｂ，ｃが選択した広告を番組表示部７が番組を表示している間に表示する広告表示部９と、需要者ａ，ｂ，ｃが選択した番組内において表示される物やサービスに関する番組内情報のリストを表示する番組内情報リスト表示部１０と、番組内情報表示部１０が表示した番組内情報のリストから需要者ａ，ｂ，ｃが選択した番組内情報についてのタグ付きの詳細情報を前記番組の進行に合わせて表示するＸＭＬ情報表示部１１と、ＸＭＬ情報表示部１１が表示する詳細情報に関連性を有する情報の追加を許可するＸＭＬ編集部１２と、各種番組を格納する番組データベース１３と、各種広告を格納する広告データベース１４とを備えている。また、ＸＭＬ編集部１２は、前記物やサービスの需要者ａ，ｂ，ｃ側からの情報の追加を許可する需要者側ＸＭＬ情報編集部１５と、前記物やサービスの提供者側からの情報の追加を許可する提供者側ＸＭＬ情報編集部１６と、システム側に蓄積されていく編集された業界やジャンル等のＸＭＬ情報に基づき業界やジャンル等のスキーマを編集するシステム側ＸＭＬ編集手段１７とから構成されている。
【００１７】
次に、図１及び図２〜図７を参照しつつ、本実施の形態に係る広告システムの作用について説明する。ここで、図２は本実施の形態に係る広告システムの作用を示すフローチャート、図３は同広告システムにおける個人情報入力画面を示す図、図４は同広告システムにおける番組リスト表示画面を示す図、図５は同広告システムにおける広告及び番組内情報入力画面を示す図、図６は同広告システムにおける番組内情報の一例を示す図、図７は同広告システムにおいて広告データベースから広告を抽出している状態を示す図である。
【００１８】
例えば需要者ａがユーザ端末１から情報通信ネットワーク５を介して処理サーバ４にアクセスすると（Ｓ１０１）、処理サーバ４は、図３に示すように、ユーザ端末１に個人情報入力画面２１を送信し、需要者ａに対して個人情報の入力を促す（Ｓ１０２）。この時に需要者ａが入力する個人情報としては、例えば、需要者のニックネーム、性別、メールアドレス、現住所、出身地、生年月日、趣味等が考えられる。
【００１９】
次いで、処理サーバ４において番組リスト作成部６は、需要者ａが個人情報入力画面２１から入力した個人情報に応じて需要者ａに固有の番組リストを作成し、図４に示すように、ユーザ端末１に番組リスト表示画面２２を表示する（Ｓ１０３）。そして、この番組リスト表示画面２２において、需要者ａがユーザ端末１から自分の興味のある番組を選択すると（Ｓ１０４）、広告リスト作成部８が、需要者ａが選択した番組に関連性を有する広告のリストを作成し、ユーザ端末１に表示すると共に、番組内情報リスト表示部１０が、需要者ａが選択した番組内において表示される物やサービスに関する番組内情報のリストをユーザ端末１に表示する（Ｓ１０５）。
【００２０】
図５に示すように、この時に表示される広告及び番組内情報入力画面２３には、それぞれの広告及び番組内情報の先頭部にチュックボックス２４が表示され、需要者ａは、このチェックボックス２４に「レ」点を入力することにより、所望の広告及び番組内情報を選択できるようになっている。
【００２１】
そして、この広告及び番組内情報入力画面２３から需要者ａが所望する広告及び番組内情報を選択すると（Ｓ１０６）、前記ステップ１０４において需要者ａが選択した番組を番組表示部７がユーザ端末１に表示している間に、広告表示部９がユーザ端末１に広告を表示すると共に、前記ステップ１０５において需要者ａが選択した番組内情報についてのタグ付きの詳細情報を前記番組の進行に合わせてＸＭＬ情報表示部１１がユーザ端末１に表示する（Ｓ１０７）。
【００２２】
より具体的には、例えば、需要者ａが番組として「Ｋ」というドラマを選択し、番組内情報として「ファッション」を選択した時に、ドラマＫの進行中にＡ男とＢ娘とＣ男が登場する場面があった場合、ＸＭＬ情報表示部１１が、図５中の番組が表示される部分２５の右方又は下方の二点差線枠２６，２７内に、図６に示すように、Ａ男とＢ娘とＣ男がそれぞれ着用しているファッションの広告情報を表示したり、或いは、位置情報ファイルに従って直接、番組内に表示したりして、番組内情報についての詳細情報を番組の進行に合わせて表示する。このように需要者側で選択したジャンルの広告を番組中に表示することにより、需要者及び提供者の双方にとって効率的で効果的な広告を提供することができるようになる。
【００２３】
また、図５の広告及び番組内情報入力画面２３において、例えば、需要者ａが広告として「トヨタ（登録商標）」と「タイヤ」を選択した場合、広告表示部９は、需要者ａの現住所のある地域特有の細分化された広告を広告データベース１４から抽出し（図７参照）、ユーザ端末１に表示する。このように広告をダイレクトピンポイントマーケティング化することにより、需要者の好みに細かく対応することができ、地域独自のユニークな広告を提供することができ、需要者及び提供者の双方にとって効率的で効果的な広告を提供することができるようになる。
【００２４】
さらに、地域を絞って広告を提供することにより、広告を視聴した人に対して、暗号やＱＲコード或いはクーポンなどを付与して割り引きを行ったりすることも簡単にできるようになり、これにより、広告の差別化を図ることもできる。さらにまた、広告データベース１４に随時、最新の広告を格納するだけで、ユーザ端末１，２，３に常に最新の広告を表示することができるため、広告提供者側にとって、広告の制作及び管理がし易くなり、広告費の削減を図ることもできる。
【００２５】
また、需要者及び提供者は、番組の進行に合わせてＸＭＬで表示された番組内情報に対して、ランキングや感想等のタグ付きの情報をＸＭＬで追加することができる。すなわち、図２のステップ１０８に示されているように、需要者側ＸＭＬ情報編集部１５は、ユーザ端末１，２，３側から入力された情報が、ＸＭＬ情報表示部１１が表示する詳細情報に関連性を有する情報であるかどうかを判断し、その結果、該詳細情報に関連性を有する情報であると判断した場合には、前記詳細情報に対する前記情報の追加を許可する（Ｓ１０９）。この時、特に図示しないが、前記情報の追加を許可した需要者に対してポイントを発行し、この発行したポイント数に応じて需要者に視聴料を割り引きする等の各種特典を付与するようにしてもよい。
【００２６】
一方、提供者側ＸＭＬ情報編集部１６についても、上記した需要者側ＸＭＬ情報編集部１５の場合と同様に、提供者側から入力された情報が、ＸＭＬ情報表示部１１が表示する詳細情報に関連性を有する情報であるかどうかを判断し、該詳細情報に関連性を有する情報であると判断した場合には、前記詳細情報に対する前記情報の追加を許可する（Ｓ１０９）。
【００２７】
なお、この時、前記詳細情報に関連性を有しない情報が需要者側又は提供者側から入力されたとしても、ＤＴＤやＸＭＬスキーマによりスキーマ定義をしておけば、誤ってそれらの情報が前記詳細情報へ追加されることを防止することができる。
【００２８】
このように、需要者側と提供者側の双方から、前記詳細情報に関連性を有する最新の情報や異なった種類の情報が随時追加されるため、前記詳細情報は一層細分化されると共に内容が次第に充実し、需要者に対して有益な情報をタイムリー且つ的確に提供することができるようになる。
【００２９】
また、番組の進行に合わせてタグ付きのＸＭＬ情報を随時追加することにより、例えば、林檎ダイエットに関する番組（動画や写真）を検索する場合にダイエット番組の中のさらに林檎に関連性を有する情報を秒単位もずれることなく再生することができる。或いは、例えば、ある音楽バンドが車で旅行しながら歌っている音楽プロモーションビデオにおいて、歌詞.xml、楽器.xml、ファッション.xml、旅行.xml、車.xmlの様に複数の個別XMLファイル(この中に様々な情報をXMLで付加してある。)と、秒単位でプログラム的に処理するＳＲＴファイルのような字幕形式ファイルとを備えることによって、秒単位での広告の効果が狙えると同時に、後から番組や動画から該当する番組や動画を細かく検索し、閲覧することも容易にできるようになる。
【００３０】  さらに、双方向テレビと異なり、テレビ局の意図や狙いを一切入れずに広告を配信することも可能となる。例えば、音楽番組で（公序良俗違反につき、不掲載）の（公序良俗違反につき、不掲載）が出演している時にテレビ局側では（公序良俗違反につき、不掲載）のみに注目して（公序良俗違反につき、不掲載）に関する情報を流すのに対して、（公序良俗違反につき、不掲載）側としては（公序良俗違反につき、不掲載）のバックで踊っているダンサーに関する情報も視聴者に知らせたいと考えていた場合、番組の出演者.xmlファイルの中のデータを編集することよって、視聴者が番組内情報選択で出演者の所にレ点を入力することにより、前記ダンサー等の出演者に関する細かい情報（名前、出身地、生年月日等）を知ることができ、後に出演者の名前等を入力することによって膨大な動画ファイルの中からその出演者に関する動画を一発で検索することができるようにもなる。【００３１】
さらに、ドラマや音楽番組の中で出演者が着用していた衣装やアクセサリーと同一の物がほしいと思った場合も、秒単位で情報が流れているので、携帯、あるいは将来的にはリモコンなどでショッピングが可能となる。
【００３２】
さらに、上記した実施の形態に係る広告システムの適用範囲をさらに拡張し、需要者側及び提供者側の双方でＸＭＬ情報を充実させていくことにより、将来的には、Google（登録商標）等の既存の検索エンジンを超える検索能力を備えることも可能であり、需要者は様々な恩恵を享受できるようになる。例えば、番組の中で焼肉を食べるシーンがあった場合、食べている焼肉と焼肉店に関する情報等を付加して放送中にＸＭＬ情報表示部１１にその場面の情報を流した後に、店側で店にある飲食物や料金、システムに関する情報をＸＭＬ編集部１２で編集し、そのＸＭＬ情報に基づきシステム側で焼肉ＸＭＬというＸＭＬのスキーマを作成する。そして、その焼肉ＸＭＬ情報と焼肉ＸＭＬスキーマとに基づき焼肉に特化した検索システムを構築すると、本発明をカーナビゲーションシステムに適用し、「焼肉食べ放題」、「お酒飲み放題」、「カルビとユッケとタン塩とハラミ」があり、「５０００円以内」の料金で、「現在位置から３０分以内」で、「待ち時間のない」店とか、或いは、「魔王」という焼酎が「２０００円以内」の料金で飲める店などを一発検索することが可能となる。
【００３３】
さらにまた、ＸＭＬは可読性が高いうえ、ＤＴＤやＸＭＬスキーマを設定することにより情報を自由に追加や編集することができるため、データベースの更新やシステムの変更が容易にできるようになる。また、ＸＭＬで情報を追加、編集することにより、ＸＳＬＴやＤＯＭ、ＳＡＸを利用して、個人のブログのようにダイレクトに細分化された業界向けの出版やサイトなどの構築を行うことも可能となる。
【００３４】
さらに、処理サーバ４によりデジタルで情報を処理することにより、需要者の視聴回数等の統計を容易且つ確実に取ることができ、該統計に従って広告料金を算出することができるようになるため、テレビ番組における広告枠の競争オークションのような非効率的で不経済なシステムを減少させることができる、さらに、地域の小さな商店であっても、映像媒体に広告を流すことができるようになり、また、地域を特定することができるため、ピンポイントダイレクトマーケティングの効果を高めることができる。
【００３５】
さらにまた、動画の進行に合わせてＸＭＬ情報を付加させることにより、従来にはないタイプの広告を行うことができると共に、過去のメディア等の遺産をデジタル化させることによって、二次利用し、広告を付加させることもできるようになり、広告の可能性を拡大化することが可能となる。
【００３６】
また、上記した本発明は、将来的にＸＭＬ付加情報が充実してくれば、広告目的だけの使用に限定されるものではなく、自分の興味のある動画を秒単位で検索することも可能となる。
【００３７】
なお、上記実施の形態では、データ記述言語として、ＸＭＬを使用した場合について説明したが、これは単なる例示に過ぎず、本発明は、ＨＴＭＬ，ＸＨＴＭＬ，ＦＬＡＳＨ，ＰＤＦ等についても適用可能である。
【図面の簡単な説明】
【００３８】
【図１】本発明の実施の形態に係る広告システムの全体構成を示す概略図である。
【図２】本発明の実施の形態に係る広告システムの作用を示すフローチャートである。
【図３】本発明の実施の形態に係る広告システムにおける個人情報入力画面を示す図である。
【図４】本発明の実施の形態に係る広告システムにおける番組リスト表示画面を示す図である。
【図５】本発明の実施の形態に係る広告システムにおける広告及び番組内情報入力画面を示す図である。
【図６】本発明の実施の形態に係る広告システムにおける番組内情報の一例を示す図である。
【図７】本発明の実施の形態に係る広告システムにおいて広告データベースから広告を抽出している状態を示す図である。
【符号の説明】
【００３９】
６          番組リスト作成部
７          番組表示部
８          広告リスト作成部
９          広告表示部
１０        番組内情報リスト表示部
１１        ＸＭＬ情報表示部
１２        ＸＭＬ情報編集部
１４        広告データベース
１５        需要者側ＸＭＬ情報編集部
１６        提供者側ＸＭＬ情報編集部
【図１】
2008211772.tif 000003
【図２】
2008211772.tif 000004
【図３】
2008211772.tif 000005
【図４】
2008211772.tif 000006
【図５】
2008211772.tif 000007
【図６】
2008211772.tif 000008
【図７】
2008211772.tif 000009